(57)【特許請求の範囲】
【請求項１】
小型表示器の白黒液晶表示部をその背部から有色照明してその液晶表示画面のバックライト色を有色にするバックライト色設定方法において、
小型表示器に複数の異なる有色発光ダイオードの発光色を混合可能にして上記液晶表示画面の照明を行うバックライトパネルを設け、かつ、各有色発光ダイオードを個別に発光駆動可能に設定する第１ステップと、
パーソナルコンピュータにおいてはツール操作によりその画面上にバックライト色選択メニュー画面を表示可能とする第２ステップと、
小型表示器は、上記バックライト色選択メニュー画面からのバックライト色の選択を受けて、この選択に対応するオンオフデューティで各有色発光ダイオードそれぞれを発光駆動する第３ステップと、
を含むことを特徴とする液晶表示画面のバックライト色設定方法。
【請求項２】
ＰＬＣにネットワークを介して接続される小型表示器が備える白黒液晶表示部をその背部から有色照明してその液晶表示画面のバックライト色を有色にするバックライト色設定方法において、
小型表示器に複数の異なる有色発光ダイオードの発光色を混合可能にして上記液晶表示画面の照明を行うバックライトパネルに複数の異なる有色発光ダイオードを個別に発光駆動可能に設定する第１ステップと、
上記液晶表示画面上には所望のバックライト色に対応したオンオフデューティで各有色発光ダイオードを発光駆動させるソフトスイッチを操作可能に表示する第２ステップと、
を含むことを特徴とするバックライト色設定方法。
【請求項３】
上記第２ステップにおいて、ソフトスイッチを複数のバックライト色それぞれに対応して複数、個別操作可能に表示する、ことを特徴とする請求項２に記載のバックライト色設定方法。
【請求項４】
上記第２ステップにおいて、ソフトスイッチを単一とし、この単一のソフトスイッチの操作毎に液晶表示画面のバックライト色を変更する、ことを特徴とする請求項１または２に記載のバックライト色設定方法。
【請求項５】
白黒液晶表示部と、この白黒液晶表示部をその背部から白黒以外の有色で照明するバックライトパネルとを備えた小型表示器において、
上記バックライトパネルは、複数の異なる有色発光ダイオードを備え、これら有色発光ダイオードそれぞれの発光色を混合可能に上記照明を行うことができる構成を備え、
上記各有色発光ダイオードそれぞれをパーソナルコンピュータのツール操作に対応したオンオフデューティにより個別に発光駆動することができるようになっている、ことを特徴とする小型表示器。
【請求項６】
白黒液晶表示部と、この白黒液晶表示部をその背部から白黒以外の有色で照明するバックライトパネルとを備え、かつ、制御機器をシーケンス制御するＰＬＣにネットワークを介して接続される小型表示器において、
上記バックライトパネルは、複数の異なる有色発光ダイオードを備え、これら有色発光ダイオードそれぞれの発光色を混合したバックライト色で上記照明を行うことができる構成を備えるとともに、上記ＰＬＣから入力されるデータに応じたオンオフデューティで上記有色発光ダイオードそれぞれを発光駆動して液晶表示画面のバックライト色が設定することができるようになっている、ことを特徴とする小型表示器。
【請求項７】
白黒液晶表示部と、この白黒液晶表示部の液晶表示画面上に設けられてタッチパネル操作することができるタッチパネルと、上記白黒液晶表示部をその背部から白黒以外の有色で照明するバックライトパネルとを備えた小型表示器において、
上記バックライトパネルは、複数の異なる有色発光ダイオードを備え、これら有色発光ダイオードそれぞれの発光色を混合したバックライト色で上記照明を行うことができる構成を備え、
上記液晶表示画面上に所望のバックライト色に対応したオンオフデューティで各有色発光ダイオードを発光駆動させるソフトスイッチを表示可能になっている、ことを特徴とする小型表示器。
【請求項８】
上記ソフトスイッチの順次操作により液晶表示画面のバックライト色を変更することができるようになっている、ことを特徴とする請求項７に記載の小型表示器。
【請求項９】
請求項５ないし８のいずれかに記載の小型表示器にネットワークを介して接続されるパーソナルコンピュータにおいて、
当該パーソナルコンピュータは、ツール操作によりその画面上に複数のバックライト色を選択することができるメニュー画面を表示可能であり、かつ、その選択に対応したコマンドを上記小型表示器に送信することができるようになっている、ことを特徴とするパーソナルコンピュータ。
【発明の詳細な説明】
【技術分野】
【０００１】
本発明は、プログラマブル表示器等の小型表示器の白黒液晶表示部をその背部から照明しその液晶表示画面のバックライト（背景）色を白黒以外の有色に設定する液晶表示画面のバックライト色設定方法、上記小型表示器および、パーソナルコンピュータに関するものである。
【背景技術】
【０００２】
プログラマブル表示器を用いた制御システムの一例を説明する。複数のプログラマブル表示器はパーソナルコンピュータにネットワークを介して共通に接続される。複数のプログラマブル表示器は、それぞれ、ネットワークを介して、ＰＬＣに接続されている。ＰＬＣには制御機器（センサ等の入力機器やモータ等の出力機器）が接続される。
【０００３】
この制御システムにおいては、ＰＬＣにより制御機器を制御し、プログラマブル表示器により制御機器の状態を表示画面上に表示したりオペレータの表示画面上のタッチパネル操作に合わせてＰＬＣを通じて制御機器を操作制御することができる。このような制御システムは例を挙げるまでもなく特許文献等でも提案されている。
【０００４】
一方、上記制御システムにおけるプログラマブル表示器は、一般に小型でかつその液晶表示部が白黒表示(モノクロ表示)になっている場合、液晶表示画面のバックライト色を白黒以外の有色で表示することが行われている。
【０００５】
しかしながら、このような上記制御システムに用いる表示器においては、制御システムの状態に応じてあるいはユーザー操作によりバックライト色を変更したり選択したりすることができるものはなかった。
【０００６】
なお、携帯型の小型表示器において、液晶表示部を備え、この液晶表示部のバックライト表示として赤色、緑色、青色の有色発光ダイオードの駆動パルス幅を種々に設定して発光輝度を調整してユーザーの好みに応じたバックライト色を種々に選択することができるようにした技術が提案されている(特許文献１参照)。しかしながら、上記制御システムの状態に応じてバックライト色を変更させることができない。
【特許文献１】特開平１１−２６６２９５号公報
【発明の開示】
【発明が解決しようとする課題】
【０００７】
したがって、本発明により解決すべき課題は、上記制御システムに用いるもので白黒液晶表示部を備えた小型表示器において、その白黒液晶表示部の表示画面のバックライト色をユーザー操作だけでなく制御システムの状態に応じても設定することができるようにすることである。
【課題を解決するための手段】
【０００８】
本発明第１による液晶表示画面のバックライト色設定方法は、小型表示器の白黒液晶表示部をその背部から有色照明してその液晶表示画面のバックライト色を有色にするバックライト色設定方法において、小型表示器に複数の異なる有色発光ダイオードの発光色を混合可能にして上記照明を行うバックライトパネルを設け、かつ、各有色発光ダイオードを個別に発光駆動可能に設定し、パーソナルコンピュータにおいてはツール操作によりその画面上にバックライト色選択メニュー画面を表示可能とし、小型表示器は、上記バックライト色選択メニュー画面からのバックライト色の選択を受けて、この選択に対応するオンオフデューティで各有色発光ダイオードそれぞれを発光駆動することを特徴とするものである。
【０００９】
上記有色発光ダイオードには赤色、緑色、青色、白色等の有色で発光することができる発光ダイオードを少なくとも２個含む。
【００１０】
本発明第１によれば、ユーザーはパーソナルコンピュータにバックライト色のメニュー画面を呼び出し、ツール操作で、そのメニュー画面から所望のバックライト色を選択するだけで、小型表示器の液晶表示画面のバックライト色を設定することができるので、目的とするバックライト色に容易に設定することができる。
【００１１】
本発明第１によれば、少なくとも２個の有色発光ダイオードでありつつ、オンオフデューティを制御し、それら有色発光ダイオードからの発光色の混合により、３色以上のバックライト色で液晶表示画面を照明することができる。
【００１２】
本発明第１によれば、例えば、赤色と緑色の２つの有色発光ダイオードとすれば、赤色と緑色以外に、オンオフデューティの設定により、さらに、代表的にはライム色、黄色、オレンジ色、さらにその他の細かいバックライト色を得ることができるとともに、この場合の発光駆動回路における消費電流を抑制することができる。
【００１３】
本発明第２によるバックライト色設定方法は、ＰＬＣにネットワークを介して接続される小型表示器が備える白黒液晶表示部をその背部から有色照明してその液晶表示画面のバックライト色を有色にするバックライト色設定方法において、小型表示器に複数の異なる有色発光ダイオードの発光色を混合可能にして上記液晶表示画面の照明を行うバックライトパネルに複数の異なる有色発光ダイオードを個別に発光駆動可能に設定し、上記液晶表示画面上には所望のバックライト色に対応したオンオフデューティで各有色発光ダイオードを発光駆動させるソフトスイッチを操作可能に表示することを特徴とするものである。
【００１４】
本発明第２によれば、小型表示器の液晶表示画面に表示されているソフトスイッチを操作するだけで、当該液晶表示画面のバックライト色を切り替えて表示することができるので、例えば、ＰＬＣの状態や、ＰＬＣにより制御される制御機器の状態等を、そのバックライト色により表示することができるようになり、制御システムにおけるオペレータの制御操作上の便を向上することができる。例えば、ＰＬＣのレジスタの値を表示するとともに、その値に対応したバックライト色に設定することにより、レジスタの細かい値を特に確認するまでもなく、即座にＰＬＣの状態を確認することができ、オペレータはよりＰＬＣを備えた制御システムを扱い易くなり好ましい。
【００１５】
上記の場合、上記ソフトスイッチを複数のバックライト色それぞれに対応して複数、個別操作可能に表示することが好ましい。各ソフトスイッチの操作内容を種々に設定し、このソフトスイッチの操作に対応してバックライト色を設定することができるので、オペレータはよりＰＬＣを備えた制御システムを扱い易くなり好ましい。
【００１６】
上記の場合、上記ソフトスイッチを単一とし、この単一のソフトスイッチの操作毎に液晶表示画面のバックライト色を変更することが好ましい。同一のソフトスイッチを操作する毎にバックライト色が切り替わるとともに、そのソフトスイッチの操作内容がバックライト色により確認することができ、オペレータはよりＰＬＣを備えた制御システムを扱い易くなり好ましい。
【発明の効果】
【００１７】
本発明によれば、小型表示器が備える白黒液晶表示部の表示画面のバックライト色をパーソナルコンピュータのツール操作や制御システムの状態に応じて任意のバックライト色に設定することができる。
【発明を実施するための最良の形態】
【００１８】
以下、添付した図面を参照して、本発明の実施の形態に係る液晶表示画面のバックライト色設定方法、小型表示器およびパーソナルコンピュータを説明する。
【００１９】
図１に、同バックライト色設定方法を実施する制御システムの構成を示し、図２に制御システム内のプログラマブル表示器の詳細ブロック図を示す。また、図３にプログラマブル表示器の外観斜視図、図４にプログラマブル表示器の液晶表示部周囲の断面図、図５にバックライトパネル内の有色発光ダイオードの発光駆動回路、図６にその発光駆動回路の駆動タイミングチャート、図７にパーソナルコンピュータのバックライト色メニュー画面とこのメニュー画面操作によるプログラマブル表示器のバックライト色の選択例、図８および図９にプログラマブル表示器のソフトスイッチ操作によるバックライト色の選択例を示す。
【００２０】
図１を参照して、上記制御システムは、モータ等の出力機器２、センサ等の入力機器４の状態を制御するシステムである。この制御のため、制御システムは、共通ネットワーク６に接続されたパーソナルコンピュータ８と、この共通ネットワーク６を介してパーソナルコンピュータ８に接続されかつオペレータにより操作される複数のプログラマブル表示器１０と、複数のプログラマブル表示器１０それぞれにＲＳ２３２Ｃ等の専用ネットワークを介して個別に接続された複数のプログラマブル・ロジック・コントローラ（ＰＬＣ）１２と、を備えている。
【００２１】
パーソナルコンピュータ８は、ＣＰＵやメモリ（ＲＡＭ、ＲＯＭなど）や表示部等を備えた本体８ａ、ハードディスクドライブ、ＭＯドライブ等の外部記憶装置８ｂ、キーボード、マウス等の入力装置８ｃを有している。
【００２２】
パーソナルコンピュータ８は、共通ネットワーク６を介したプログラマブル表示器１０との間のデータ通信処理を行うとともに、作画エディタ８ｄで作成した画面データをプログラマブル表示器１０に転送したりする処理を行うことができる。
【００２３】
ＰＬＣ１２は、制御シーケンスにしたがって、入力機器４から入力される信号に基づいて出力機器２に与える制御データの演算処理を行う。入力機器４としては、センサ（温度センサ、光センサなど）、スイッチ（押ボタンスイッチ、リミットスイッチ、圧力スイッチなど）のような機器が用いられる。出力機器２としては、アクチュエータ、リレー、電磁弁、モータなどが用いられる。これらの入力機器４および出力機器２は、製造ラインなどの所要各部に配置される。
【００２４】
以上の制御システムの構成において、プログラマブル表示器１０は、予め格納されている制御用プログラムに従い動作し、ＰＬＣ１２と通信して上記機器２，４の状態を表示し、また、オペレータの指示に従い機器２，４への制御指示をＰＬＣ１２へ通信する。
【００２５】
プログラマブル表示器１０は、図２で示すように、プログラムメモリ１０ａ、データメモリ１０ｂ、ＣＰＵ１０ｃ、白黒液晶表示部１０ｄ、タッチパネル１０ｅ、通信インターフェース１０ｆ，１０ｇを備える。プログラマブル表示器１０は、内蔵ＣＰＵ１０ｃにおいて表示画面の表示制御、プロトコル変換およびデータ配信の処理を行うために各種のデータ処理を行うことができる。プログラマブル表示器１０は、パーソナルコンピュータ８から転送される画面データにより図３で示す液晶表示画面１０ｈ上に描画させることができる。液晶表示画面１０ｈには、表示部品やタグが画像ブロックとして合成される。液晶表示画面１０ｈにおいては、表示部品やタグが入出力機器の動作に応じて動くようになっており、入出力機器２，４の動作状況が視覚化される。
【００２６】
プログラマブル表示器１０は、共通ネットワーク６から送信されるパーソナルコンピュータ８の画面データに含まれる送信先のアドレスを解析し、そのアドレスが自己のものであればパーソナルコンピュータ８からのデータに含まれるコマンドを読み取り、画面データに対応して表示動作を行うことができる。プログラマブル表示器１０は、プログラムメモリ１０ａに、表示制御プログラム、文字図形の表示処理、タッチパネルへの入力受付処理、メニュー表示、等、多数の機能を実行するためのプログラムが格納されている。
【００２７】
白黒液晶表示部１０ｄは、図４で示すように、透明電気配線を備えた透明基板の両面に白黒液晶を封止し、この透明基板の両側に偏光板を貼り付けて光透過型の白黒液晶表示板状に構成されている。白黒液晶表示部１０ｄは上記透明電気配線に表示信号が印加されて上記画像ブロックを白黒で表示(モノクロ表示)するようになっている。
【００２８】
白黒液晶表示部１０ｄの前面側に透明のタッチパネル１０ｅが設けられている。白黒液晶表示部１０ｄはタッチパネル１０ｅの操作に応じて表示動作をしたりその操作に対応する電気信号を出力することができるようになっている。
【００２９】
このような白黒液晶表示部１０ｄとタッチパネル１０ｅとの関係は周知であるので詳細な説明は略する。実施の形態では、白黒液晶表示部１０ｄの構成の一例を示したにすぎず、実施の形態に限定されない。
【００３０】
白黒液晶表示部１０ｄの背面側にバックライトパネル１４が設けられている。バックライトパネル１４は、白黒液晶表示部１０ｄの背面に固定された導光板１４ａと、この導光板の背面に固定された反射板１４ｂと、導光板の側方には設置された有色発光ダイオードとして赤色と緑色の２つの有色発光ダイオード１４ｃ，１４ｄとにより構成されている。実施の形態では、バックライトパネル１４の構成の一例を示したにすぎず、実施の形態に限定されない。
【００３１】
これら有色発光ダイオード１４ｃ，１４ｄはそれぞれバックライト光源として、発光駆動信号の印加によりそれぞれ赤色と緑色に発光し、その発光光はバックライトパネル１４の導光板１４ａで導光され、また、反射板１４ｂで反射されつつ、白黒液晶表示部１０ｄの前方へ向けて入光し、その液晶表示画面のバックライト色となる。
【００３２】
赤色と緑色の有色発光ダイオード１４ｃ，１４ｄは図５で示すようにトランジスタ１６ａ，１６ｂを含む発光駆動回路１６により発光駆動されるようになっている。これら両トランジスタ１６ａ，１６ｂそれぞれのベースに赤色発光のための駆動信号（以下、赤駆動信号と表現する）と緑色発光のための駆動信号（以下、緑駆動信号と表現する）とが印加される。
【００３３】
各有色発光ダイオード１４ｃ，１４ｄは、以下に説明する赤駆動信号と緑駆動信号それぞれのオンオフデューティ制御で発光駆動されるようになっている。これら赤と緑の各駆動信号のオンオフデューティの組み合わせを図６を参照して説明する。ここで「オン」は発光ダイオードが発光駆動するオンデューティを、「オフ」は発光ダイオードが発光停止するオフデューティを意味する。
【００３４】
図６（ａ）は赤駆動信号が１００％オフ（０％オン）、緑駆動信号が１００％オン（０％オフ）の第１組み合わせでバックライト色は「緑色」である。
【００３５】
図６（ｂ）は赤駆動信号が５０％オン、５０％オフ、緑駆動信号が１００％オン（０％オフ）の第２組み合わせでバックライト色は「ライム」である。
【００３６】
図６（ｃ）は、赤駆動信号と緑駆動信号が共に８３％オン、１７％オフの第３組み合わせでバックライト色は「黄色」である。
【００３７】
図６（ｄ）は、赤駆動信号が１００％オン（０％オフ）、緑駆動信号が５０％オン、５０％オフの第４組み合わせでバックライト色は「オレンジ」である。
【００３８】
図６（ｅ）は赤駆動信号が１００％オン（０％オフ）で、緑駆動信号が１００％オフ（０％オン）の第５組み合わせでバックライト色は「赤色」である。
【００３９】
以上の組み合わせにおいて、パーソナルコンピュータ８においては、図７で示すように、ツール操作によりその画面上に上記第１ないし第５のバックライト色を選択することができるメニュー画面８ｅを表示することができるようになっている。このメニュー画面８ｅにおいて、Ｃ１はプログラマブル表示器１０の液晶表示画面のバックライト色を「緑色」にする「緑色」コマンドメニューであり、Ｃ２は同バックライト色を「ライム」にする「ライム」コマンドメニューであり、Ｃ３は同バックライト色を「黄色」にする「黄色」コマンドメニューであり、Ｃ４は同バックライト色を「オレンジ」にする「オレンジ」コマンドメニューであり、Ｃ５は同バックライト色を「赤色」にする「赤色」コマンドメニューである。
【００４０】
パーソナルコンピュータ８はバックライト色選択メニュー画面８ｅのユーザ−操作により、プログラマブル表示器１０に対してそれに対応したバックライト色の選択実行コマンドを与える。プログラマブル表示器１０は、この選択実行コマンドを受け付けると、そのコマンドに対応して図６（ａ）ないし図６（ｄ）で示す駆動信号を発光駆動回路１６に入力する。これにより、赤色と緑色の有色発光ダイオード１４ｃ，１４ｄが発光駆動され、液晶表示部１０ｅの液晶表示画面１０ｈは目的とするバックライト色に設定される。
【００４１】
なお、図８、図９で示すように、プログラマブル表示器１０の表示画面１０ｈにユーザ−操作されるソフトスイッチ１０ｉを表示し、これらソフトスイッチ１０ｉを操作することにより、バックライト色を変更することができるようにしてもよい。図８の場合、ソフトスイッチ１０ｉ１〜１０ｉ５が上記５色に対応して５つ表示されている。このソフトスイッチ１０ｉ１〜１０ｉ５のいずれかを選択操作することにより、当該表示画面１０ｈのバックライト色を１０ｈ１〜１０ｈ５に設定することができる。図９の場合、ソフトスイッチ１０ｉを１つだけ表示し、このソフトスイッチ１０ｉを順次、操作することにより、当該表示画面１０ｈのバックライト色を順次、１０ｈ１〜１０ｈ５に変更することができる。
【図面の簡単な説明】
【００４２】
【図１】図１は本発明の実施の形態を制御システムに適用した例を示す図である。
【図２】図２は図１の制御システム内のプログラマブル表示器の詳細ブロック図である。
【図３】図３は図２のプログラマブル表示器の外観斜視図である。
【図４】図４は図２のプログラマブル表示器の液晶表示部を含む周辺構成を示す一部断面図である。
【図５】図５は赤色発光ダイオードと緑色発光ダイオードの発光駆動回路図である。
【図６】図６は赤色発光ダイオードと緑色発光ダイオードの発光駆動信号のタイミングチャートである。
【図７】図７はパーソナルコンピュータのバックライト色選択用メニュー画面とそれに対応したプログラマブル表示器のバックライト色画面とを示す図である。
【図８】図８はプログラマブル表示器の表示画面におけるバックライト色選択用ソフトスイッチの表示例を示す図である。
【図９】図９はプログラマブル表示器の表示画面におけるバックライト色選択用ソフトスイッチの他の表示例を示す図である。
【符号の説明】
【００４３】
２  出力機器
４  入力機器
６  共通ネットワーク
８  パーソナルコンピュータ
１０  プログラマブル表示器
１２  ＰＬＣ
【図１】
0004755908.tif 000002
【図２】
0004755908.tif 000003
【図３】
0004755908.tif 000004
【図４】
0004755908.tif 000005
【図５】
0004755908.tif 000006
【図６】
0004755908.tif 000007
【図７】
0004755908.tif 000008
【図８】
0004755908.tif 000009
【図９】
0004755908.tif 000010